(57)【要約】【課題】第１課題は、人体における発汗が著しい部位の発汗を抑制すると共に、当該部位に心地よい清涼感を長時間感じさせる、身体用清涼具の提供、第２課題は、趣味・嗜好性に適合する立体形状の造形物、例えばアニメキャラクター等により、着用者に楽しさ、高揚感、連帯感等の興趣を向上させる、身体用清涼具の提供、第３課題は、エアコン等の室内設定温度を１°〜２℃上げることにより、温室効果ガスの排出を抑制し、ひいては地球温暖化の防止となる、身体用清涼具の提供である。【解決手段】清涼具Ｋ１は、本体部１、本体部１内に封入される保水性、吸湿性及び膨張性を有する冷媒材２、本体部１の表地を形成する高吸水性繊維からなる布地体３から構成されている。【選択図】図１
2011104323.tif 000002
【特許請求の範囲】
【請求項１】
身体の一部に捲装する清涼具であって、
膨張時、平面視ほぼ円形状又は楕円形状をなす本体部と、
前記本体部内に封入される保水性、吸湿性及び膨張性を有する冷媒材と、
前記本体部の表地を形成する高吸水性繊維からなる布地体と、
から構成されることを特徴とする身体用清涼具。
【請求項２】
前記本体部が立体形状の造型物である、
ことを特徴とする請求項１に記載の身体用清涼具。
【請求項３】
前記造型物がアニメキャラクター、イベントキャラクター、フィギュア、動植物、鳥類、魚類、各種器物、空想上の創作物、又は人体部位の擬似縮小体である、
ことを特徴とする請求項１又は請求項２の何れかに記載の身体用清涼具。
【請求項４】
前記造型物は本体部の前後部、両側部に一体的又は／及び別部材として取り付けられている、
ことを特徴とする請求項１〜請求項３の何れかに記載の身体用清涼具。
【請求項５】
前記冷媒材が粒状又は粉末状の高分子ポリマーである、
ことを特徴とする請求項１〜請求項４の何れかに記載の身体用清涼具。
【請求項６】
前記本体部の前端部には係止具が取り付けられている、
ことを特徴とする請求項１〜請求項５の何れかに記載の身体用清涼具。
【発明の詳細な説明】
【技術分野】
【０００１】本発明は、身体用清涼具に係り、より詳しくは、外気温が高くなる初夏から初秋にかけてのアウトドアスポーツ、例えば、ゴルフ、ハイキング又はフィッシング等の他、家庭菜園や日曜大工、屋外スポーツの観戦、又は屋内での学習、料理等において、特に人体における発汗が著しい部位、例えば、頸部、後頭部の他手首、足首、肘、膝等の発汗を抑制し、当該部位に心地よい清涼感を感じさせると共に、着用者が好むキャラクター等の造形物を全体として又は本体部の一部に取りけてなる身体用清涼具に関する。
【背景技術】
【０００２】  近年、世界各国が排出する膨大な温室効果ガスの影響による地球温暖化が進み、これにより外気温が高い夏日、真夏日又は猛暑日、さらには熱帯夜になる日数が年々増加している傾向にあることが、気象庁等によって発表されている。また熱中症を発症する児童の数も増加している。成人にとっても、外気温が高い夏日、真夏日等炎天下におけるアウトドアスポーツ、例えば、ゴルフ、ハイキング等は、発汗作用が激しく、水分補給の頻度は増すので、その楽しさは半減するのみならず、疲労度が増し、気分が悪くなり、脱水症状やついには熱中症となることもある。また強い紫外線は、人体における肌を露出する部位例えば、頸部等は熱射被害である皮膚やけど、光老化によるシミ、シワ等の肌トラブル、ＤＮＡ損傷による皮膚がんや視力低下等々の弊害を生じることになる。【０００３】  人体で最も暑さを感じる部位は、一般的に頸部及び後頭部であるといわれている。頸部等の暑さ対策として、近年になり、各種の清涼帯ないし清涼具等が提案されている。例えば、本願出願人による特許文献１「身体用清涼帯」（第２頁、図５参照）、特許文献２「保水バンド」（第２頁、図１参照）、特許文献３「冷却用帯体」（第２頁、図１参照）、特許文献４「清涼帯」（第２頁、図１参照）等である。特許文献１は、保水性及び吸湿性を有する粒状又は粉末状の高分子ポリマーと、前記高分子ポリマーを収納する高吸水性繊維を素材とする帯状の布地体とから構成されている。特許文献２は、二重の帯状の布であり、保水部は吸水性繊維の布であり、保水部は本体バンドの全長に渡り挟まれ、縫い合わされており、本体バンドの両端に剣状帯を、さらにその一端に通し帯を設けて保水バンドを構成している。特許文献３は、帯状袋体内に高分子吸収体からなる超高性能の保水材を充填したことを特徴としている。特許文献４は、布製袋状部の内部に水に不溶性で吸湿性及び保水性に富んだ材料からなる小さな冷媒粒を多数封入してなることを特徴としている。
【先行技術文献】
【特許文献】
【０００４】
【特許文献１】実用新案登録第３１５００９７号公報
【特許文献２】実用新案登録第３１４８５４２号公報
【特許文献３】実用新案登録第３０１１８７９号公報
【特許文献４】実用新案登録第３００６０３２号公報
【発明の概要】
【発明が解決しようとする課題】
【０００５】  上述の特許文献１〜特許文献４は、いずれも帯状ないしバンド（以下、帯体という）であり、そのために水道水を帯体にかけたり、あるいは洗面器等の容器内の水に浸漬する時間は比較的に短時間（約５〜１０分）であるが、使用に際しては帯体の断面容積が少ないために帯体内の水分が早急に蒸発するので、特に真夏日等にあっては、頻繁な帯体への水分補給が必要であるという欠点を払拭されていない。また帯体であるからスカーフを頸部に巻き付けるようにして使用するのでファッション性のある清涼具といえなくもないが、なにか充足感が欠けるものがある。【０００６】本願発明が解決しようとする課題は、以下の通りである。
（１）第１の課題は、人体における発汗が著しい部位の発汗を抑制すると共に、当該部位に心地よい清涼感を長時間感じさせる、身体用清涼具を提供することにある。
（２）第２の課題は、趣味・嗜好性に適合する立体形状の造形物、例えばアニメキャラクター等により、着用者に楽しさ、高揚感、連帯感等の興趣を向上させる、身体用清涼具を提供することにある。
（３）第３の課題は、エアコン等の室内設定温度を約１℃〜２℃上げることにより、温室効果ガスの排出を抑制し、ひいては地球温暖化の防止となる、身体用清涼具を提供することにある。
【課題を解決するための手段】
【０００７】本願発明者は、上記従来技術が有する各種問題点に鑑み、鋭意検討を重ね、特に保水性、吸湿性及び膨張性を有する高分子ポリマーと高吸水性繊維を素材とする布地体と、趣味・嗜好性に適合する立体形状の造形物を組み合わせることに着目して本願発明を完成させたものである。
なお本願の明細書、特許請求の範囲及び要約書等において使用する、本体部とは、身体用清涼具において、人体の頸部、頭部等の部位に当接する部分の全体又は一部をいう。
課題を解決するための手段は、本願、特許請求の範囲の各請求項に記載の発明であり、その具体的な解決手段は、以下の通りである。【０００８】上記の課題を解決するための第１の発明は、請求項１に記載する発明であり、
身体の一部に捲装する清涼具であって、
膨張時、平面視ほぼ円形状又は楕円形状をなす本体部と、
前記本体部内に封入される保水性、吸湿性及び膨張性を有する冷媒材と、
前記本体部の表地を形成する高吸水性繊維からなる布地体と、
から構成されることを特徴としている。【０００９】上記の課題を解決するための第２の発明は、請求項２に記載する発明であり、
前記本体部が立体形状の造型物である、
ことを特徴としている。【００１０】上記の課題を解決するための第３の発明は、請求項３に記載する発明であり、
前記造型物がアニメキャラクター、イベントキャラクター、フィギュア、動植物、鳥類、魚類、各種器物、空想上の創作物、又は人体部位の擬似縮小体である、
ことを特徴としている。【００１１】上記の課題を解決するための第４の発明は、請求項４に記載する発明であり、
前記造型物は本体部の前後部、両側部に一体的又は／及び別部材として取り付けられている、
ことを特徴している。【００１２】上記の課題を解決するための第５の発明は、請求項５に記載する発明であり、
前記冷媒材が粒状又は粉末状の高分子ポリマーである、
ことを特徴としている。【００１３】上記の課題を解決するための第６の発明は、請求項６に記載する発明であり、
前記本体部の前端部には係止具が取り付けられている、
ことを特徴としている。
【発明の効果】
【００１４】本発明に係る、身体用清涼具は、上記した特徴的な構成になるから、以下のような効果を奏する。すなわち、
第１の発明によれば、
「身体の一部に捲装する清涼具であって、膨張時、平面視ほぼ円形状又は楕円形状をなす本体部と、前記本体部内に封入される保水性、吸湿性及び膨張性を有する冷媒材と、前記本体部の表地を形成する高吸水性繊維からなる布地体と」
から構成されるという特徴的な構成とし、その特徴的構成要件に応じ、人体における発汗が著しい部位の発汗を抑制すると共に、当該部位に心地よい清涼感を長時間感じさせる、身体用清涼具の提供という第１の課題と、趣味・嗜好性に適合する立体形状の造形物、例えばアニメキャラクター等により、着用者に楽しさ、高揚感、連帯感等の興趣を向上させる、身体用清涼具の提供という第２の課題と、エアコン等の室内設定温度を１℃〜２℃上げることにより、温室効果ガスの排出を抑制し、ひいては地球温暖化の防止となる、身体用清涼具の提供という第３の課題を一挙に解決することができた。【００１５】第２の発明によれば、
「第１の発明に記載する身体用清涼具であって、
前記本体部が立体形状の造型物である」
という特徴的な構成とし、
また、第３の発明によれば、
「第１の発明〜第２の発明に記載する身体用清涼具であって、
前記造型物がアニメキャラクター、イベントキャラクター、フィギュア、動植物、鳥類、魚類、各種器物、空想上の創作物、又は人体部位の擬似縮小体である」
という極めて特徴的な構成とし、
さらに、第４の発明によれば、
「第１の発明〜第３の発明に記載する身体用清涼具であって、
前記造型物は本体部の前後部、両側部に一体的又は／及び別部材として取り付けられている」
という極めて特徴的な構成としているので、趣味・嗜好性に適合する立体形状の造形物、例えばアニメキャラクター等により、着用者に楽しさ、高揚感、連帯感等の興趣を向上させる、身体用清涼具の提供という第２の課題を解決することができた。即ち、例えば、外気温が高温である真夏日にあって、小児が強い関心を寄せるアニメキャラクター等の形状をした身体用清涼具を頸部や頭部等に捲装すれば、強烈な日射光による熱中症の予防となると共に、楽しく、元気に遊ぶことができる。また好みの各種立体形状の造形物が取り付けられた身体用清涼具を、頸部、頭部又は手首等身体の各部位に捲装すれば、成人グループによるキャンプ、バーベキュー等のアウトドアにおいても、高揚感、連帯感等の興趣を倍加させる効果を奏することができる。またゴルフ、ハイキング又はフィッシング等のアウトドアスポーツはもちろん、家庭菜園や日曜大工、屋外スポーツの観戦、屋内における学習や料理等も楽しく行うことができる。【００１６】第５の発明によれば、
「第１の発明〜第４の発明に記載する身体用清涼具であって、
前記冷媒材が粒状又は粉末状の高分子ポリマーである」
という特徴的な構成としているので、身体用清涼具を頸部又は身体の各部位に捲装した際に、何らの違和感を感じることなく着用して清涼感を満喫することができる。【００１７】第６の発明によれば、
「第１の発明〜第５の発明に記載する身体用清涼具であって、前記本体部の前端部には係止具が取り付けられている」
という特徴的な構成としているので、係止具が、例えば、面状ファスナー、ハトメホックもしくはフェライトマグネット等であれば、頸部、頭部又は手首、足首等身体の各部位に容易に捲装し、固定することができる。
【図面の簡単な説明】
【００１８】
【図１】は、本発明に係る、身体用清涼具の一例を示す一部切欠正面図である。
【図２】は、同一部切欠平面図である。
【図３】は、図１における３−３線断面図である。
【図４】は、本発明に係る、身体用清涼具における他の例を示す一部切欠斜視図である。
【図５】は、本発明に係る、身体用清涼具における第３の例を示す一部切欠斜視図である。
【図６】は、使用態様を示す斜視図である。
【図７】（ａ）は、本発明に係る、身体用清涼具における第４の例を示す一部切欠平面図、（ｂ）は、本発明に係る、身体用清涼具における第５の例を示す一部切欠平面図、（ｃ）は、本発明に係る、身体用清涼具における第６の例を示す一部切欠正面図である。
【発明を実施するための形態】
【００１９】  図１〜図３は、本発明に係る、身体用清涼具（以下、清涼具Ｋ１という）の一例で、図示するのは子供にはもちろん、成人男女にも人気のある動物のコアラをぬいぐるみ状にしたものである。
清涼具Ｋ１は、本体部１、本体部１内に封入される保水性、吸湿性及び膨張性を有する冷媒材２、本体部１の表地を形成する高吸水性繊維からなる布地体３から構成されている。４は、係止具で本体部１の左右の脚部１ａの先端どうしを固定するもので人体の頸部、頭部、手首、足首又は膝部等の各部位に捲回した後、固定する際に使用する。図示する係止具４は、雌雄一つからなる面状ファスナーであり、その他ハトメホック、フェライトマグネット等から選択することができる。
【００２０】  本体部１は、２本の脚部１ａ、胴部１ｂ、２本の腕部１ｃ、顔面１ｄからなり、図２に示すように２本の脚部１ａは、平面視ほぼ円形状をなしている。本体部１内には予め、保水性、吸湿性及び膨張性を有する冷媒材２、例えば粒状又は粉末状の高分子ポリマーが封入されている。高分子ポリマーは、−２０℃から最高温度２００℃になってもその特性は変化しない素材である。本体部１は、水道水等で濡らすか又は洗面器等の容器内に常温（約２０°〜２５°℃）の真水を入れ、これに本体部１を約３〜５分浸漬すれば、高分子ポリマーが有する膨張特性で、図１〜図３の状態に膨張し、立体形状の清涼具Ｋ１が形成される。また、清涼具Ｋ１とされる立体形状の造形物は、コアラ等の動物の他アニメキャラクター、イベントキャラクター、フィギュア、植物、鳥類、魚類、各種器物、空想上の創作物、又は人体部位の擬似縮小体から選択されて制作される。さらにこれらの造形物は、本体部の前後部、両側部に一体的又は／及び別部材として取り付けることができる。
【００２１】  冷媒材２の主成分である高分子ポリマー、例えば、ポリアクリル酸ナトリウムの分子表面は、特殊コーティング加工されており、保水された球状分子が水分気化熱により、本体部１の表地を形成する布地体３の表面温度を下げることになり、これにより、布地体３の表面３ａに当接する、例えば人体の頸部Ｎ（図３、参照）は、外気温より２〜３℃低くなり、冷感と清涼感を感じることができる。
布地体３は、高吸水性繊維、例えばポリエステル繊維又はポリエステルとナイロン混紡繊維等を素材とし、消臭加工、抗菌・防かび加工及び／又はＵＶ加工されている。ポリエステル繊維又はポリエステルとナイロン混紡繊維等は、通気性も良好であるから、水分気化熱の蒸散を効率よく促進させることができる。
【００２２】  図４は、本発明に係る、身体用清涼具（以下、清涼具Ｋ２という）における他の例を示している。
清涼具Ｋ２は、例えば消防士等が庁舎内における訓練時又は火災等が発生したとき、頚部に捲回して使用する清涼具Ｋ２で、本体部２１の内部には、予め保水性、吸湿性及び膨張性を有する冷媒材２２、例えば、粒状又は粉末状の高分子ポリマーが封入されている。清涼具Ｋ２の本体部２１は、ほぼ円形状又は楕円状のホースに似せて造型され、先端部には放水筒と人の擬似手が設けられている。表地は、高吸水性繊維を素材とする布地体２３である。清涼具Ｋ２を頸部に使用するには、本体部２１の中央に形成された中央部をやや拡げながら頸部後方から前方に向けて挿入し、係止具２４の面状ファスナー等で固定する。
【００２３】  図５は、本発明に係る、身体用清涼具（以下、清涼具Ｋ３という）の第３の実施形態であり、図示するように、清涼具Ｋ３は、清涼具Ｋ２の前端側に別体の立体形状の造形物である、キャラクターＣを取り付けたものである。本体部３１の内部には、予め保水性、吸湿性及び膨張性を有する冷媒材３２、例えば、粒状又は粉末状の高分子ポリマーが封入されている。清涼具Ｋ３の本体部３１は、ほぼ円形状又は楕円状に造型され、表地は、高吸水性繊維を素材とする布地体３３で、３４は、係止具のフェライトマグネットであり、清涼具Ｋ３は、キャラクターＣが取り付けられているので、特に小児は喜んでこれを頸部又は頭部に捲装することができるので、例えば、真夏日等にあって、屋外における熱中症を未然に防止することができる。
【００２４】  図６は、清涼具Ｋ３を女性の頚部に捲回して使用した状態を示している。清涼具Ｋ３の使用者は、真夏日等にあって、冷感と清涼感を感じるとともに、キャラクターＣが一種のアクセサリーとなり、ウォーキング、ゴルフ等のアウトドアスポーツがより楽しくなる効果を奏する。
【００２５】図７（ａ）は、本発明に係る、身体用清涼具（以下、清涼具Ｋ４という）の第４の実施形態であり、図示するように、清涼具Ｋ４の本体部４１は、ほぼ楕円形状のリング体で、その両先端部４３は、人体の手に似せた形状としており、面状ファスナー４４が取り付けられている。本体部４１の内部には、予め保水性、吸湿性及び膨張性を有する冷媒材４２、例えば、粒状又は粉末状の高分子ポリマーが封入されている。図７（ｂ）は、本発明に係る、身体用清涼具（以下、清涼具Ｋ５という）の第５の実施形態であり、清涼具Ｋ５の本体部５１の両側面に装飾物のリボン片５３が取り付けられている。本体部５１の内部には、予め保水性、吸湿性及び膨張性を有する冷媒材５２、例えば、粒状又は粉末状の高分子ポリマーが封入されている。５４は両先端部を固定する面状ファスナーである。図７（ｃ）は、本発明に係る、身体用清涼具（以下、清涼具Ｋ６という）の第６の実施形態であり、図示するように、清涼具Ｋ６の本体部６１後部には、蝶６１ａが取り付けられ、両先端部には係止具６４であるハトメホックが取り付けられている。
【００２６】本発明に係る、清涼具Ｋ１〜清涼具Ｋ６の使用に際しては、例えば、清涼具Ｋ１〜清涼具Ｋ６を常温水（真水）を充たした容器内に浸し、軽く揉みながら充分に保水させ、本体部１内の冷媒材２の高分子ポリマーが均等になるようにする。次に清涼具Ｋ１〜清涼具Ｋ６を容器内から取り出し、乾いたタオル等で余分の水を拭き取り、頸部（後頭部）や両手首等の所望部位に捲装して使用する。冷媒材２の高分子ポリマーと布地体３による気化熱（気化潜熱）蒸発作用により、長時間（約２０時間）心地よい冷感と清涼感を感じることができ、冷媒材２の水分がなくなれば、再び清涼具Ｋ１〜清涼具Ｋ６の本体部１等を水中に浸ければ、冷やしと清涼感は回復することができ、連続的に使用することができる。
【００２７】  本発明に係る、清涼具Ｋ１〜清涼具Ｋ６を使用後は、布地体３の表面に付着した汗、汚れ等を水かぬるま湯で手洗いし、風通しの良い場所に陰干しして乾燥させ、清潔な状態にして繰り返し使用することができる。
【符号の説明】
【００２８】Ｋ１    清涼具
１      本体部
２      冷媒材
３      布地体
４      係止具
【図１】
2011104323.tif 000003
【図２】
2011104323.tif 000004
【図３】
2011104323.tif 000005
【図４】
2011104323.tif 000006
【図５】
2011104323.tif 000007
【図６】
2011104323.tif 000008
【図７】
2011104323.tif 000009